(57)【要約】【課題】解決しようとする問題点は、ホームネットワーク上に複数の記録メディアが格納されている際に生じる操作の煩雑性である。【解決手段】記録メディアが本体データとメニュー表示用ファイルを記録しているフォーマットの場合に、メニュー表示用ファイルと記録メディアが格納されている機器の機器コードおよびアクセス制限のかかっている機器にアクセスするためパスワードとを関連付けて、表示手段をもつ遠隔操作機器に記憶させることにより、遠隔操作機器の表示手段上でメニュー操作すると即座に対象とする機器にアクセスできる点である。【選択図】図３
2005184311.tif 000002
【特許請求の範囲】
【請求項１】
被制御機器を操作するための操作手段と、上記操作手段による操作を上記被制御機器に送信する送信手段と、メニュー表示用ファイルを記録した記録メディアを格納している機器から上記メニュー表示用ファイルを受信する受信手段と、上記メニュー表示用ファイルを認識するための処理手段と、上記メニュー画面を表示するための表示手段とを有することを特徴とする遠隔操作装置。
【請求項２】
アクセス制限のかかった機器にアクセスする際に必要なパスワード等を入力する手段と、上記パスワードを記憶する手段とを有することを特徴とする請求項１記載の遠隔操作装置。
【請求項３】
上記メニュー表示用ファイルと機器を特定するためのコードを関連付けるための処理手段と、上記遠隔操作装置に上記メニュー表示用ファイルと機器コードを関連付けた結合データを送信するための送信手段と、上記操作手段による操作を受信するための受信手段と、ネットワーク接続された機器と通信を行うための通信手段とを有することを特徴とする上記遠隔操作装置の被制御機器。
【請求項４】
上記被制御機器で上記メニュー表示用ファイルと上記機器コードとを関連付けた結合データを作成するステップと、上記被制御機器から上記結合データを上記遠隔操作装置に送信するステップと、上記遠隔操作装置に上記結合データを記憶するステップと、上記遠隔操作機器で上記結合データを処理するステップとを有することを特徴とする遠隔操作方法。
【請求項５】
上記遠隔操作装置から被制御機器に操作入力命令と上記機器コードとを送信するステップと、上記被制御機器で上記機器コードを認識するステップと、上記機器コードに該当する機器に上記操作入力命令を送信するステップと、上記該当機器で操作入力命令を実行するステップとを有することを特徴とする遠隔操作方法。
【請求項６】
上記遠隔操作装置に上記パスワードを記憶するステップと、上記遠隔操作装置から被制御機器に上記パスワードを送信するステップと、上記被制御機器もしくは当該被制御機器とネットワーク接続されている機器が上記パスワードを認識してアクセス許可するステップとを有することを特徴とする請求項５記載の遠隔操作方法。
【発明の詳細な説明】
【技術分野】
【０００１】
本発明は、ネットワーク上のファイル操作を容易に行う遠隔操作機器およびファイル管理方法に関するものである。
【背景技術】
【０００２】
ホームネットワークで複数の機器がつながっている状況で、ある一つの機器でその他の機器に格納されている記録メディアのデータを視聴しようとした場合、複数の機器をつないでいるために目的とする記録メディアがどの機器に格納されているか分からなくなり、最悪の場合、全ての機器にアクセスしなければならなくなる状況が考えられる。格納されている記録メディアが本体データ（音楽データ、映像データ等）の他に、記録している本体データの一覧表示やジャンル別表示などのメニュー表示のためのメニュー表示用ファイル（以下ＭＩＦという）を持つフォーマットの場合には、この状況を回避するために、ＭＩＦにその記録メディアが格納されている機器の機器コードを付加し、それぞれの機器に記憶させておくという手段が考えられる。この方法によると、記憶しているＭＩＦをひらき、メニュー画面から任意の項目を選択すれば関連付けられている機器コードを認識することにより対象機器に即座にアクセスできる。しかし、この方法では全ての機器にＭＩＦを重複させて記憶させておく必要があるので無駄である。
【０００３】
また、ホームネットワークでつながっている複数の機器を複数人で使用する状況では、セキュリティーが設けられ、機器にアクセスする際にパスワード（ＰＷ）の入力という手間がかかることが予想できる。
【特許文献１】特開２００３−２３６８０号公報
【発明の開示】
【発明が解決しようとする課題】
【０００４】
解決しようとする問題点は、ホームネットワーク上に複数の記録メディアが格納されている際に生じる、対象記録メディアの検索、他機器へのアクセス操作等の操作上の煩雑性である。
【０００５】
本願発明は上記課題を鑑み、ＭＩＦの制御機能（記録、削除、読取り等）と、セキュリティーがかかった機器にアクセスする際に必要となるパスワードの記憶機能とを遠隔操作装置に持たせることを目的とする。
【課題を解決するための手段】
【０００６】
本発明は、ＭＩＦの制御機能（記録、削除、読取り等）と、セキュリティーがかかった機器にアクセスする際に必要となるパスワードの記憶機能とを遠隔操作装置に持たせることを最も主要な特徴とする。
【発明の効果】
【０００７】
本発明の遠隔操作装置は、記録メディアが本体データとＭＩＦを記録しているフォーマットの場合に、ＭＩＦと記録メディアが格納されている機器の機器コードおよびＰＷとを関連付けて、表示手段を持つ遠隔操作装置に記憶させることにより、遠隔操作装置の表示手段上でメニュー操作するだけで対象とする機器にアクセスできる。
【発明を実施するための最良の形態】
【０００８】
本発明の請求項１に記載の発明は、被制御機器を操作するための操作手段と、上記操作手段による操作を上記被制御機器に送信する手段と、メニュー表示用ファイルを記録した記録メディアを格納している機器から上記メニュー表示用ファイルを受信する受信手段と、上記メニュー表示用ファイルを認識するための処理手段と、上記メニュー画面を表示するための表示手段とを有することを特徴とするものである。
【０００９】
本発明の請求項２に記載の発明は、アクセス制限のかかった機器にアクセスする際に必要なパスワード等を入力する手段と、上記パスワードを記憶する手段とを有することを特徴とするものである。
【００１０】
本発明の請求項３に記載の発明は、上記メニュー表示用ファイルと機器を特定するためのコードを関連付けるための処理手段と、上記遠隔操作装置に上記メニュー表示用ファイルと機器コードを関連付けた結合データを送信するための送信手段と、上記操作手段による操作を受信するための受信手段と、ネットワーク接続された機器と通信を行うための通信手段とを有することを特徴とするものである。
【００１１】
本発明の請求項４に記載の発明は、上記被制御機器で上記メニュー表示用ファイルと上記機器コードとを関連付けた結合データを作成するステップと、上記被制御機器から上記結合データを上記遠隔操作装置に送信するステップと、上記遠隔操作装置に上記結合データを記憶するステップと、上記遠隔操作機器で上記結合データを処理するステップとを有することを特徴とするものである。
【００１２】
本発明の請求項５に記載の発明は、上記遠隔操作装置から被制御機器に操作入力命令と上記機器コードとを送信するステップと、上記被制御機器で上記機器コードを認識するステップと、上記機器コードに該当する機器に上記操作入力命令を送信するステップと、上記該当機器で操作入力命令を実行するステップとを有することを特徴とするものである。
【００１３】
本発明の請求項６に記載の発明は、上記遠隔操作装置に上記パスワードを記憶するステップと、上記遠隔操作装置から被制御機器に上記パスワードを送信するステップと、上記被制御機器もしくは当該被制御機器とネットワーク接続されている機器が上記パスワードを認識してアクセス許可するステップとを有することを特徴とするものである。
【００１４】
（実施の形態）
図１は本発明の遠隔操作装置の概略的な回路構成である。図１において、１０は遠隔操作装置で、被制御機器からのデータを受信する受信部１１および被制御機器にデータを送信する送信部１２を有する。受信部１１の素子としては赤外線受光素子等が、送信部の素子としては赤外線発光ダイオード等が考えられる。受信部１１で受信したデータはマイクロコンピュータ等の制御部１３を介して記憶部１４に記憶される。記憶部１４には不揮発性の半導体メモリ等が有用であるが、揮発性のメモリも利用可能である。
【００１５】
さらに、遠隔操作装置１０は操作入力およびＰＷの入力を行うための操作部１５および記憶したＭＩＦの内容を表示するための表示部１６を有し、制御部１３は操作入力の処理、表示への画像表示の処理等も行う。操作部１５としてはボタン式のスイッチが、表示部としては液晶表示デバイスが一般的であるが、それ以外の操作部、表示手段も利用可能である。表示部１６は必ずしも必要なものではないが、表示部１６を搭載することにより表示部を持たないもしくは表示部をもつ機器に接続されていない被制御機器を操作する際に、表示部１６にメニュー表示することにより、操作が容易に行えるという利点がある。
【００１６】
次に本発明に係わる被制御機器の概略的な回路構成を図２に示す。
【００１７】
被制御機器２０としてはＣＤ（コンパクト・ディスク）、ＤＶＤ（デジタル多用途ディスク）等の記録メディア対応のビデオ機器やオーディオ機器等が考えられる。被制御機器２０は機器特有のハードウェア部２１を有し、このハードウェア部２１は制御部２２により制御される。また、被制御機器２０は遠隔操作装置１０とデータの送受信を行うための送信部２３および受信部２４を有する。受信部２４で受信した操作要求を制御部２２で処理し、制御部２２はハードウェア部２１および記憶部２５とデータのやりとりを行う。また、必要に応じて送信部２３から遠隔操作装置１０へデータの送信を行う。
【００１８】
さらに、被制御機器２０はネットワーク接続部２６を有する。ネットワーク接続部２６としてはＵＳＢジャック、モジュラージャック等が考えられる。このネットワーク接続部２６を介して、他の被制御機器と無線または有線でデータのやりとりを行う。無線の場合は、無線ＬＡＮ（プロトコル例：ＩＥＥＥ８０２．１）や無線電話回線（携帯電話など）を用いることが考えられる。
【００１９】
図３に基づき本発明の活用例を挙げる。
【００２０】
機器３１、３２、３３はネットワークでつながっている。もちろんネットワーク接続されている機器は３つ以上の複数であってもよい。機器３１、３２、３３のいずれか、または全てにアクセス制限がかかっている場合には、ユーザーはそれらの機器の機器コードと関連付けてＰＷを遠隔操作装置３４にあらかじめ登録しておく。
【００２１】
次に、ユーザーは遠隔操作装置３４に、機器３３に格納されている記録メディアのＭＩＦを記録する。このときに、記録したＭＩＦが機器３３に格納されている記録メディアのものであるということを示すために、ＭＩＦと機器３３の機器コードとを関連付けて遠隔操作装置３４に記録する。このＭＩＦと機器コードとの関連付けは、機器３３側で自動で行われる。
【００２２】
次に、ユーザーは遠隔操作装置の表示部３４ａに表示されるメニュー画面上で再生コンテンツの選択等の操作を行う。この操作入力の信号が被制御機器３１に送信される。このとき、操作入力の信号とともに、操作したＭＩＦと関連付けられている機器３３の機器コードも送信される。さらに、機器３３のＰＷが登録されている場合にはＰＷも送信される。ここで、機器３３にアクセス制限がかかっている場合に、ＰＷが登録されておらず、ＰＷが送信されなければ機器３３へアクセス不能となる。
【００２３】
被制御機器３１は受信信号の機器コードおよび操作内容を認識し、機器３３に操作内容の信号を送信する。機器３３は受信した信号から対応する記録メディアを再生し、機器３１に本体データを送信する。被制御機器３１は機器３３から受信するデータによりストリーミング再生を行う。
【００２４】
上記の活用例では遠隔操作機器３４に記録したＭＩＦは一つだけであったが、二つ以上の複数のＭＩＦを記録しておくことも可能である。また、遠隔操作装置の信号を受信する被制御機器として機器３１を例に挙げたが、ネットワークでつながっている機器であればもちろん被制御機器は機器３２であっても良いし、遠隔操作装置３４に記録しているＭＩＦを記録している記録メディアを格納している機器３３であっても良い。さらに、上記活用例では被制御機器３１はストリーミング再生を行うとしたが、著作権等の問題がなく、本体データを被制御機器３１に記憶することが可能であるならば、被制御機器３１の記憶部に本体データを記憶してから再生することも可能である。
【００２５】
図４は遠隔操作装置１０の外観の一例を示す。遠隔操作装置は表示部４１と操作部４２をもつ。図４では、メニュー項目の例としてジャンル４３およびアーティスト名４４を表示しているが、これらはＭＩＦに記録されている内容によるものであるので、メニュー項目として動画、静止画、音楽といったようなコンテンツの種類や、コンテンツのタイトル等を表示する場合もある。４５は所望のジャンル４３あるいはアーティスト名４４を選択可能なカーソルで、例えば操作部４２のカーソルボタン４２ａを操作することで表示部４１内を移動させることができる。
【００２６】
図５は遠隔操作装置１０の動作の一例を示すフローチャートである。まずユーザーが遠隔操作装置１０に操作入力を行うと、操作部１５と制御部１３のデータのやりとりにより操作内容を識別する（ステップＳ１）。その入力が遠隔操作装置１０に対する操作入力であった場合には、制御部１３、記憶部１４、表示部１６でのデータのやりとりにより、その操作入力に対応する制御を行う（ステップＳ７）。この操作の例としては、記憶部１４からＭＩＦを読み出して表示部１６にメニュー表示を行う操作やＰＷを記憶部１４に記憶させる操作、表示部１６に表示されているメニュー画面上のコンテンツの選択を行う操作等が挙げられる。
【００２７】
次に、入力が被制御機器に対する操作入力であった場合には、送信部１２から被制御機器に命令を送信する。このときの命令（ステップＳ２）がＭＩＦの送信要求であった場合には、被制御機器から目的とするＭＩＦとそのＭＩＦが存在する機器の機器コードを結合したデータが送信され（ステップＳ３）、受信部１３で受信すれば（ステップＳ４）、受信した情報を記憶部１４に記憶する（ステップＳ５）。
【００２８】
図６は被制御機器２０の動作の一例を示すフローチャートである。まずステップＳ８で遠隔操作装置からの命令信号を受信する。この命令がＭＩＦの要求であるか否かを判断し（ステップＳ９）、ＭＩＦの要求であった場合には、制御部２２はハードウェア部２１および記憶部２４とデータのやりとりをして、ＭＩＦと機器コードを結合（ステップＳ１０）し、データを送信部２３から遠隔操作装置に送信する（ステップＳ１１）。ステップＳ１２で遠隔操作装置からの受信確認信号を受信するまでステップＳ１１の処理を繰り返す。
【００２９】
次に、ステップＳ９の処理で遠隔操作装置からの命令がＭＩＦ要求以外のものであった場合には、まず命令に付随している機器コードを認識する（ステップＳ１３）。認識した機器コードに対応する機器にアクセス制限がかかっているかどうかを判断し（ステップＳ１４）、アクセス制限がかかっている場合には、ＰＷを受信したかどうか確認する（ステップＳ１５）。ＰＷを認識できない場合は、エラーメッセージの表示等の処理を行い、ステップＳ８の信号待ちの状態に戻る。一方ステップＳ１４でアクセス制限がかかっていない場合はステップＳ１６にとぶ。次に、ステップＳ１３で認識した機器コードが遠隔操作装置からの信号を受信した機器以外の機器のものであるかどうかを判断し（ステップＳ１６）、他の機器コードであれば、対象の機器の電源が入っているかを確認し（ステップＳ１７）、電源が切れていれば電源を入れる（ステップＳ１８）。その後、対象コンテンツの操作（再生、早送り等）を行う（ステップＳ１９）。ステップＳ１６で機器コードが遠隔操作装置からの信号を受信した機器のものである場合や、ステップＳ１７で対象機器の電源が入っていれば、対象コンテンツの操作（再生、早送り等）を行う（ステップＳ１９）。
【００３０】
以上のように本実施の形態によれば、記録メディアが本体データとＭＩＦを記録しているフォーマットの場合に、ＭＩＦと記録メディアが格納されている機器の機器コードおよびＰＷとを関連付けて、表示部を持つ遠隔操作装置に記憶させることにより、遠隔操作装置の表示部上でメニュー操作するだけで、対象とする機器にアクセスできる。
【産業上の利用可能性】
【００３１】
本発明の遠隔操作装置およびファイル管理方法は、メニュー表示用ファイルを聞きコードと関連付けて遠隔操作装置に記憶し、遠隔操作機器の操作に付随して機器コードを被制御機器に送信することによって、ネットワーク上の機器に多数の記録メディアが格納されているような状況に有用である。
【図面の簡単な説明】
【００３２】
【図１】本発明の実施の形態に於ける遠隔操作装置の概略的な回路図
【図２】本発明の実施の形態に於ける被制御機器の概略的な回路図
【図３】本発明の実施の形態の概略的なシステム構成を示す模式図
【図４】本発明の実施の形態に於ける遠隔操作装置の一例を示す外観図
【図５】本発明の実施の形態の遠隔操作装置の動作の一例を示すフローチャート
【図６】本発明の実施の形態の被制御機器の動作の一例を示すフローチャート
【符号の説明】
【００３３】
１０    遠隔操作装置
１１    データ受信部
１２    データ送信部
１３    制御部
１４    記憶部
１５    操作部
２０    被制御機器
２１    ハードウェア部
２２    制御部
２３    データ送信部
２４    データ受信部
２５    記憶部
２６    ネットワーク接続部
４１    表示部
４２    操作部
【図１】
2005184311.tif 000003
【図２】
2005184311.tif 000004
【図３】
2005184311.tif 000005
【図４】
2005184311.tif 000006
【図５】
2005184311.tif 000007
【図６】
2005184311.tif 000008